【手続補正書】
【提出日】平成17年8月19日(2005.8.19)
【手続補正１】
【補正対象書類名】明細書
【補正対象項目名】発明の名称
【補正方法】変更
【補正の内容】
【発明の名称】直交周波数分割多重受信器の等化器を初期化する方法および装置
【手続補正２】
【補正対象書類名】明細書
【補正対象項目名】特許請求の範囲
【補正方法】変更
【補正の内容】
【特許請求の範囲】
【請求項１】
直交周波数分割多重（ＯＦＤＭ）受信器の等化器を初期化する方法であって、
少なくとも部分的にＯＦＤＭ信号に基づいて、チャネル推定値を生成するステップと、
前記チャネル推定値の近似逆数を生成するステップと、
適応アルゴリズムに基づいて、所望の等化器タップ設定を生成するステップと
を含み、
前記適応アルゴリズムの初期等化器タップ設定が、前記チャネル推定値の前記近似逆数に対応し、前記所望の等化器タップ設定が、前記チャネル推定値の理想的な逆数に対応する、前記直交周波数分割多重受信器の等化器を初期化する方法。
【請求項２】
前記所望の等化器タップ設定を生成する前記ステップが、最小自乗平均（ＬＭＳ）アルゴリズムに基づいて、前記所望の等化器タップ設定を生成することを含む、請求項１に記載の直交周波数分割多重受信器の等化器を初期化する方法。
【請求項３】
前記チャネル推定値を生成する前記ステップが、無線ローカル・エリア・ネットワークを介して前記ＯＦＤＭ信号を受信することを含む、請求項２に記載の直交周波数分割多重受信器の等化器を初期化する方法。
【請求項４】
前記チャネル推定値を生成する前記ステップが、ポータブル・コンピュータおよびデスクトップ・コンピュータの少なくとも１つに、前記ＯＦＤＭ信号を受信することを含む、請求項２に記載の直交周波数分割多重受信器の等化器を初期化する方法。
【請求項５】
直交周波数分割多重（ＯＦＤＭ）受信器の等化器を初期化する方法であって、
受信したＯＦＤＭトレーニング・シンボルおよび第１の量に基づいて、チャネル推定値を生成するステップと、
前記チャネル推定値の量子化された大きさの自乗に基づいて、第２の量を生成するステップと、
前記チャネル推定値の複素共役および前記第２の量に基づいて、等化器タップ設定を生成するステップと、
１と、既存の等化器タップ設定と前記チャネル推定値との積の間の差に基づいて、誤差を生成するステップと、
前記誤差および前記既存の等化器タップ設定に基づいて、後続の等化器タップ設定を生成するステップと、
前記誤差が、所定の限界内になるまで、前記誤差を生成する前記ステップおよび前記後続の等化器タップ設定を生成する前記ステップを繰り返すステップと
を含む、前記直交周波数分割多重受信器の等化器を初期化する方法。
【請求項６】
前記後続の等化器タップ設定を生成する前記ステップが、最小自乗平均（ＬＭＳ）アルゴリズムに基づいて、前記後続の等化器タップ設定を生成することを含む、請求項５に記載の直交周波数分割多重受信器の等化器を初期化する方法。
【請求項７】
前記チャネル推定値を生成する前記ステップが、無線ローカル・エリア・ネットワークを介して、前記トレーニング・シンボルを受信することを含む、請求項５に記載の直交周波数分割多重受信器の等化器を初期化する方法。
【請求項８】
前記チャネル推定値を生成する前記ステップが、ポータブル・コンピュータおよびデスクトップ・コンピュータの少なくとも１つに、前記トレーニング・シンボルを受信することを含む、請求項５に記載の直交周波数分割多重受信器の等化器を初期化する方法。
【請求項９】
前記チャネル推定値を生成する前記ステップが、
ストレージ・デバイスから基準トレーニング・シンボルの逆数を検索すること、
前記受信したトレーニング・シンボルと前記逆数の積に基づいて、前記チャネル推定値を生成すること
を含む、請求項５に記載の直交周波数分割多重受信器の等化器を初期化する方法。
【請求項１０】
前記チャネル推定値を生成する前記ステップが、前記受信したトレーニング・シンボルの符号を反転することを含む、請求項５に記載の直交周波数分割多重受信器の等化器を初期化する方法。
【請求項１１】
前記チャネル推定値を生成する前記ステップが、ＨＩＰＥＲＬＡＮ／２伝送から前記トレーニング・シンボルを抽出することを含む、請求項１０に記載の直交周波数分割多重受信器の等化器を初期化する方法。
【請求項１２】
前記第２の量を生成する前記ステップが、前記チャネル推定値の前記大きさの自乗を２のべきに量子化することを含む、請求項５に記載の直交周波数分割多重受信器の等化器を初期化する方法。
【請求項１３】
前記第２の量を生成する前記ステップが、前記第２の量をレジスタ内のビットとして表現することを含み、前記等化器タップ設定を生成するステップが、前記レジスタ内の前記ビットを右シフトすることを含む、請求項５に記載の直交周波数分割多重受信器の等化器を初期化する方法。
【請求項１４】
直交周波数分割多重（ＯＦＤＭ）受信器の等化動作を初期化する装置であって、
受信したＯＦＤＭトレーニング・シンボルおよび第１の量に基づいて、チャネル推定値を生成し、
前記チャネル推定値の量子化された大きさの自乗に基づいて、第２の量を生成し、
前記チャネル推定値の複素共役および前記第２の量に基づいて、等化器タップ設定を生成し、
１と、既存の等化器タップ設定と前記チャネル推定値の積との間の差に基づいて、誤差を生成し、
前記誤差および前記既存の等化器タップ設定に基づいて、後続の等化器タップ設定を生成し、
前記誤差が所定の限界内になるまで、繰り返して前記誤差および前記後続の等化器タップ設定を生成する
ように構成されたタップ初期化コントローラ
を含む、前記直交周波数分割多重受信器の等化器を初期化する装置。
【請求項１５】
前記等化器タップ設定をそれから受け取るために前記タップ初期化コントローラに結合された等化器を含む、請求項１４に記載の直交周波数分割多重受信器の等化器を初期化する装置。
【請求項１６】
前記タップ初期化コントローラが、最小自乗平均（ＬＭＳ）アルゴリズムに基づいて、前記後続の等化器タップ設定を生成するように構成される、請求項１５に記載の直交周波数分割多重受信器の等化器を初期化する装置。
【請求項１７】
前記タップ初期化コントローラが、ストレージ・デバイスから基準トレーニング・シンボルの逆数を検索し、前記受信したトレーニング・シンボルと前記逆数との積に基づいて、前記チャネル推定値を生成するように構成される、請求項１５に記載の直交周波数分割多重受信器の等化器を初期化する装置。
【請求項１８】
前記タップ初期化コントローラが、前記受信したトレーニング・シンボルの符号を反転するように構成される、請求項１５に記載の直交周波数分割多重受信器の等化器を初期化する装置。
【請求項１９】
前記トレーニング・シンボルをそれに供給するために前記タップ初期化コントローラに結合されたＯＦＤＭトレーニング・シーケンス抽出器であって、前記トレーニング・シーケンス抽出器が、ＨＩＰＥＲＬＡＮ／２伝送から前記トレーニング・シンボルを抽出するように構成される、ＯＦＤＭトレーニング・シーケンス抽出器を含む、請求項１８に記載の直交周波数分割多重受信器の等化器を初期化する装置。
【請求項２０】
前記タップ初期化コントローラが、前記チャネル推定値の前記大きさの自乗を２のべきに量子化するように構成される、請求項１５に記載の直交周波数分割多重受信器の等化器を初期化する装置。
【手続補正３】
【補正対象書類名】明細書
【補正対象項目名】００１０
【補正方法】変更
【補正の内容】
【００１０】
本発明の前述の長所、並びに追加の長所は、添付図面と共に検討される時の好ましい実施形態の詳細な説明の結果としてより完全に理解される。
請求の範囲と実施例との対応関係を図面で使われている参照符号で示すと次の通りである。
（請求項１）  直交周波数分割多重（ＯＦＤＭ）受信器の等化器を初期化する方法であって、
少なくとも部分的にＯＦＤＭ信号に基づいて、チャネル推定値を生成するステップ（２２０）と、
前記チャネル推定値の近似逆数を生成するステップ（２３０、２４０、２５０）と、
適応アルゴリズムに基づいて、所望の等化器タップ設定を生成するステップ（２６０）と
を含み、
前記適応アルゴリズムの初期等化器タップ設定が、前記チャネル推定値の前記近似逆数に対応し、前記所望の等化器タップ設定が、前記チャネル推定値の理想的な逆数に対応する、前記直交周波数分割多重受信器の等化器を初期化する方法。
（請求項２）  前記所望の等化器タップ設定を生成する前記ステップが、最小自乗平均（ＬＭＳ）アルゴリズムに基づいて、前記所望の等化器タップ設定を生成することを含む、請求項１に記載の直交周波数分割多重受信器の等化器を初期化する方法。
（請求項３）  前記チャネル推定値を生成する前記ステップ（２２０）が、無線ローカル・エリア・ネットワークを介して前記ＯＦＤＭ信号を受信することを含む、請求項２に記載の直交周波数分割多重受信器の等化器を初期化する方法。
（請求項４）  前記チャネル推定値を生成する前記ステップ（２２０）が、ポータブル・コンピュータおよびデスクトップ・コンピュータの少なくとも１つに、前記ＯＦＤＭ信号を受信することを含む、請求項２に記載の直交周波数分割多重受信器の等化器を初期化する方法。
（請求項５）  直交周波数分割多重（ＯＦＤＭ）受信器の等化器を初期化する方法であって、
受信したＯＦＤＭトレーニング・シンボルおよび第１の量に基づいて、チャネル推定値を生成するステップ（２２０）と、
前記チャネル推定値の量子化された大きさの自乗に基づいて、第２の量を生成するステップ（２５０）と、
前記チャネル推定値の複素共役および前記第２の量に基づいて、等化器タップ設定を生成するステップ（２６０）と、
１と、既存の等化器タップ設定と前記チャネル推定値との積の間の差に基づいて、誤差を生成するステップ（３１０）と、
前記誤差および前記既存の等化器タップ設定に基づいて、後続の等化器タップ設定を生成するステップ（３２０）と、
前記誤差が、所定の限界内になるまで、前記誤差を生成する前記ステップ（３１０）および前記後続の等化器タップ設定を生成する前記ステップ（３２０）を繰り返すステップ（３３０）と
を含む、前記直交周波数分割多重受信器の等化器を初期化する方法。
（請求項６）  前記後続の等化器タップ設定を生成する前記ステップ（３２０）が、最小自乗平均（ＬＭＳ）アルゴリズムに基づいて、前記後続の等化器タップ設定を生成することを含む、請求項５に記載の直交周波数分割多重受信器の等化器を初期化する方法。
（請求項７）  前記チャネル推定値を生成する前記ステップ（２２０）が、無線ローカル・エリア・ネットワークを介して、前記トレーニング・シンボルを受信することを含む、請求項５に記載の直交周波数分割多重受信器の等化器を初期化する方法。
（請求項８）  前記チャネル推定値を生成する前記ステップ（２２０）が、ポータブル・コンピュータおよびデスクトップ・コンピュータの少なくとも１つに、前記トレーニング・シンボルを受信することを含む、請求項５に記載の直交周波数分割多重受信器の等化器を初期化する方法。
（請求項９）  前記チャネル推定値を生成する前記ステップが、
ストレージ・デバイス（５８）から基準トレーニング・シンボルの逆数を検索すること、
前記受信したトレーニング・シンボルと前記逆数の積に基づいて、前記チャネル推定値を生成すること
を含む、請求項５に記載の直交周波数分割多重受信器の等化器を初期化する方法。
（請求項１０）  前記チャネル推定値を生成する前記ステップが、前記受信したトレーニング・シンボルの符号を反転することを含む、請求項５に記載の直交周波数分割多重受信器の等化器を初期化する方法。
（請求項１１）  前記チャネル推定値を生成する前記ステップが、ＨＩＰＥＲＬＡＮ／２伝送から前記トレーニング・シンボルを抽出することを含む、請求項１０に直交周波数分割多重受信器の等化器を初期化する記載の方法。
（請求項１２）  前記第２の量を生成する前記ステップが、前記チャネル推定値の前記大きさの自乗を２のべきに量子化すること（２４０）を含む、請求項５に記載の直交周波数分割多重受信器の等化器を初期化する方法。
（請求項１３）  前記第２の量を生成する前記ステップ（２６０）が、前記第２の量をレジスタ内のビットとして表現することを含み、前記等化器タップ設定を生成するステップが、前記レジスタ内の前記ビットを右シフトすることを含む、請求項５に記載の直交周波数分割多重受信器の等化器を初期化する方法。
（請求項１４）  直交周波数分割多重（ＯＦＤＭ）受信器の等化動作を初期化する装置であって、
受信したＯＦＤＭトレーニング・シンボルおよび第１の量に基づいて、チャネル推定値を生成し（２２０）、
前記チャネル推定値の量子化された大きさの自乗に基づいて、第２の量を生成し（２５０）、
前記チャネル推定値の複素共役および前記第２の量に基づいて、等化器タップ設定を生成し（２６０）、
１と、既存の等化器タップ設定と前記チャネル推定値の積との間の差に基づいて、誤差を生成し（３１０）、
前記誤差および前記既存の等化器タップ設定に基づいて、後続の等化器タップ設定を生成し（３２０）、
前記誤差が所定の限界内になるまで、繰り返して前記誤差および前記後続の等化器タップ設定を生成する
ように構成されたタップ初期化コントローラ（１０８）
を含む、前記直交周波数分割多重受信器の等化器を初期化する装置。
（請求項１５）  前記等化器タップ設定をそれから受け取るために前記タップ初期化コントローラ（１０８）に結合された等化器（７２）を含む、請求項１４に記載の直交周波数分割多重受信器の等化器を初期化する装置。
（請求項１６）  前記タップ初期化コントローラ（１０８）が、最小自乗平均（ＬＭＳ）アルゴリズムに基づいて、前記後続の等化器タップ設定を生成するように構成される、請求項１５に記載の直交周波数分割多重受信器の等化器を初期化する装置。
（請求項１７）  前記タップ初期化コントローラ（１０８）が、ストレージ・デバイス（５８）から基準トレーニング・シンボルの逆数を検索し、前記受信したトレーニング・シンボルと前記逆数との積に基づいて、前記チャネル推定値を生成するように構成される、請求項１５に記載の直交周波数分割多重受信器の等化器を初期化する装置。
（請求項１８）  前記タップ初期化コントローラ（１０８）が、前記受信したトレーニング・シンボルの符号を反転するように構成される、請求項１５に記載の直交周波数分割多重受信器の等化器を初期化する装置。
（請求項１９）  前記トレーニング・シンボルをそれに供給するために前記タップ初期化コントローラ（１０８）に結合されたＯＦＤＭトレーニング・シーケンス抽出器であって、前記トレーニング・シーケンス抽出器が、ＨＩＰＥＲＬＡＮ／２伝送から前記トレーニング・シンボルを抽出するように構成される、ＯＦＤＭトレーニング・シーケンス抽出器を含む、請求項１８に記載の直交周波数分割多重受信器の等化器を初期化する装置。
（請求項２０）  前記タップ初期化コントローラ（１０８）が、前記チャネル推定値の前記大きさの自乗を２のべきに量子化するように構成される、請求項１５に記載の直交周波数分割多重受信器の等化器を初期化する装置。